(57)【要約】【課題】本発明は、容器の側面形状にフレキシブルに対応可能な構成が簡単で安価な容器ホルダ装置および容器サポートユニットを提供することを目的とする。【解決手段】本発明の容器ホルダ装置は、収納部を備えるホルダ本体と、このホルダ本体に揺動可能に取り付けられ収納部に収納される容器の側面を支持するサポート手段とを備え、サポート手段は、前記ホルダ本体に下方に揺動可能に取り付けられる円弧状の第１ギア部を有する第１サポート部材と、ホルダ本体に上方に揺動可能に取り付けられ前記第１サポート部材の第１ギア部と噛み合う円弧状の第２ギア部を有する第２サポート部材と、第１サポート部材と第２サポート部材とを離間する方向に付勢するバネと、を有することを特徴とする。【選択図】図２
2008213588.tif 000002
【特許請求の範囲】
【請求項１】
収納部を備えるホルダ本体と、
前記ホルダ本体に揺動可能に取り付けられ前記収納部に収納される容器の側面を支持するサポート手段とを備え、
該サポート手段は、前記ホルダ本体に下方に揺動可能に取り付けられる円弧状の第１ギア部を有する第１サポート部材と、
前記ホルダ本体に上方に揺動可能に取り付けられ前記第１サポート部材の第１ギア部と噛み合う円弧状の第２ギア部を有する第２サポート部材と、
前記第１サポート部材と前記第２サポート部材とを離間する方向に付勢するバネと、を有することを特徴とする容器ホルダ装置。
【請求項２】
前記第１サポート部材は、前記容器の側面に当接する当接壁と、該当接壁に直交し円弧部を有する略扇形状の側壁とを具え、該側壁の円弧部端縁に前記第１ギア部が形成されており、
前記第２サポート部材は、前記容器の側面に当接する当接壁と、該当接壁に直交し円弧部を有する略扇形状の側壁とを具え、該側壁の円弧部端縁に前記第２ギア部が形成されているとともに、前記第１サポート部材の内部に出没自在の内壁部を有する請求項１に記載の容器ホルダ装置。
【請求項３】
容器ホルダ装置の収納部を区画する側壁に設けられ、容器の側面に当接して該容器を支持する容器サポートユニットであって、
枠体と、
該枠体に下方に揺動可能に取り付けられる円弧状の第１ギア部を有する第１サポート部材と、
該枠体に上方に揺動可能に取り付けられ前記第１サポート部材の第１ギア部と噛み合う円弧状の第２ギア部を有する第２サポート部材と、
前記第１サポート部材と前記第２サポート部材とを離間する方向に付勢するバネと、を有することを特徴とする容器サポートユニット。
【発明の詳細な説明】
【技術分野】
【０００１】
本発明は、飲料等の容器を収納保持するための容器ホルダ装置と収納された容器の移動を規制しその容器を支持する容器サポートユニットに関する。
【背景技術】
【０００２】
車両室内に設けられる飲料などの容器を収納する容器ホルダ装置として、例えば図８に示す容器ホルダ装置６０が知られている。この容器ホルダ装置６０は、ホルダ本体６１と、サポート６２と、バネ６３とを有する。ホルダ本体６１は、容器Ｃが収納される収納部６１ａを有しており、サポート６２は、ホルダ本体６１に軸６４で揺動自在に枢止されている。サポート６２は、容器Ｃを収納していない場合には、バネ６３で収納部６１ａ内へ突出する方向に付勢されており、容器Ｃが収納される場合には、軸６４を中心に下方（矢印Ｒ方向）へ向けて揺動し、ホルダ本体６１の内部へ退避し、点線で示すサポート６２’に位置する。そして、バネ６４の付勢力により容器Ｃの側壁を押圧して容器Ｃの径方向の移動を規制するように支持する。
【０００３】
しかし、このような構成を持つ従来の容器サポート装置６０においては、サポート６２の揺動軸６４が一軸のため揺動方向が下向き方向に規制されてしまう。このため、容器Ｃを抜き差しする際に引っ掛かりやすく、特に図９に示すように側壁にくびれ（凹部）６５を有する形状の容器Ｐでは、収納後にこのくびれ６５にサポート６２が入り込み抜き出す際に引っ掛かりやすいという問題があった。
【０００４】
そのため、ホルダ本体へ容器を抜き差しする操作性を向上した容器ホルダ装置が提案されている。例えば、特許文献１では、軸がガイド溝に遊嵌あるいは摺動自在に支持され、回動可能に組み付けられた当接部材（サポート）を有する車両用物品保持装置を提案している。しかし、このようなサポートを有する容器ホルダ装置は、容器の大きさによってサポートする高さが変化するので、容器保持性能が安定しない、また、構成が複雑になり製造コストが高くなる等の問題がある。
【特許文献１】特許第３７０６５３６号公報
【発明の開示】
【発明が解決しようとする課題】
【０００５】
本発明は上記の課題を解決するためになされたものであり、容器の側面形状にフレキシブルに対応可能な構成が簡単で安価な容器ホルダ装置および容器サポートユニットを提供することを目的とする。
【課題を解決するための手段】
【０００６】
本発明の容器ホルダ装置は、収納部を備えるホルダ本体と、このホルダ本体に揺動可能に取り付けられ収納部に収納される容器の側面を支持するサポート手段とを備え、サポート手段は、前記ホルダ本体に下方に揺動可能に取り付けられる円弧状の第１ギア部を有する第１サポート部材と、ホルダ本体に上方に揺動可能に取り付けられ前記第１サポート部材の第１ギア部と噛み合う円弧状の第２ギア部を有する第２サポート部材と、第１サポート部材と第２サポート部材とを離間する方向に付勢するバネと、を有することを特徴とする。
【０００７】
本発明の容器ホルダ装置において、第１サポート部材は、容器の側面に当接する当接壁と、この当接壁に直交し円弧部を有する略扇形状の側壁とを具え、この側壁の円弧部端縁に前記第１ギア部が形成されており、第２サポート部材は、容器の側面に当接する当接壁と、この当接壁に直交し円弧部を有する略扇形状の側壁とを具え、この側壁の円弧部端縁に前記第２ギア部が形成されているとともに第１サポート部材の内部に出没自在の内壁部を有することが望ましい。
【０００８】
本発明の容器支持ユニットは、容器ホルダ装置の収納部を区画する側壁に設けられ、容器の側面に当接してこの容器を支持する容器サポートユニットであって、
枠体と、この枠体に下方に揺動可能に取り付けられる円弧状の第１ギア部を有する第１サポート部材と、枠体に上方に揺動可能に取り付けられ前記第１サポート部材の第１ギア部と噛み合う円弧状の第２ギア部を有する第２サポート部材と、前記第１サポート部材と第２サポート部材とを離間する方向に付勢するバネと、を有することを特徴とする。
【発明の効果】
【０００９】
本発明の容器ホルダ装置は、収納される容器の側面に当接して容器の径方向の動きを規制するサポート手段が揺動可能な第１サポート部材と第２サポート部材とから構成されており、第１サポート部材と第２サポート部材とは、それぞれの有するギア部で噛み合うように配置されている。従って、いずれか一方のサポート部材を揺動することで他方のサポート部材を連動して揺動させることが出来る。そのため、容器収納時には、バネの付勢力に抗して第１サポート部材と第２サポート部材とを同時にホルダ本体内に退避させることが出来る。
【００１０】
また、容器取り出し時には、バネの付勢力により第１サポート部材と第２サポート部材とを同時に収容部内に向かって進出させることが出来る。
【００１１】
さらに、外周面（側面）に凹部が形成されている容器を取り出す場合にも、容器から加えられた荷重による第２サポート部材の揺動が、噛み合っているギア部を介して第１サポート部材を揺動させるので、バネの付勢力に抗して第１サポート部材と第２サポート部材とを同時にホルダ本体内に退避させ、容器凹部との引っ掛かりを回避して容器をスムーズに抜き取ることが出来、容器の出し入れの操作性を向上できる。
【００１２】
本発明の容器ホルダ装置は、第１サポート部材と第２サポート部材との動作をギアの噛合いにより同期させる容器サポート手段を採用しているので構成が極めて簡単であり、従って安価に得ることが出来る。
【００１３】
また、このような容器サポート手段をホルダ本体とは別体の容器サポートユニットとすることで、ホルダ本体への組み付け作業性を向上することが出来る。
【発明を実施するための最良の形態】
【００１４】
以下、実施例によって本発明の容器ホルダ装置と容器サポートユニットとを詳細に説明する。
【００１５】
（実施例１）
本実施例は容器ホルダ装置に関するものであり、その構成及び作用を図１〜図５を参照して説明する。
【００１６】
図１に本実施例の容器ホルダ装置の斜視図を示す。容器ホルダ装置１は、ホルダ本体１０と、収納された容器の側面に当接して容器の径方向の動きを規制するように支持するサポート手段Ｓとを有している。図２はサポート手段Ｓを示す斜視図であり、図３〜図５にはその部分断面図を示す。
【００１７】
ホルダ本体１０は、例えば樹脂製であり、図１に示すように容器を収納可能な収納部１１を有している。収納部１１の側壁１１ａには穴１２が設けられている。穴１２は、側壁１１ａに複数設けられていてもよい（本実施例では３個設けられている場合を示している）。穴１２が複数設けられている場合には、個々の穴１２は、収納部１１の底面１１ｂから同じ距離隔てた位置にある。
【００１８】
ホルダ本体１０は、車両の内装部材に取り付けられる。ホルダ本体１０は車両の内装部材に一体に形成されていてもよく、また、車両の内装部材と別体に形成されて車両の内装部材に取り付けられていてもよい。
【００１９】
収納された容器の外周部を支持するサポート手段Ｓは例えば樹脂製であり、前記の穴１２に設けられている。サポート手段Ｓは、図２に示すように第１サポート部材２０と、第２サポート部材２１と、バネ３０とで構成されている。
【００２０】
第１サポート部材２０はホルダ本体１０の穴１２と同数設けられている。第１サポート部材２０は容器の外周面に当接する円弧状の当接壁２０ａと、該当接壁２０ａに直交する略扇形状の側壁２０ｂとが一体的に形成されており下部は開放されている。側壁２０ｂには、揺動軸２０ｃが設けられており、側壁２０ｂの下部周縁には、この揺動軸２０ｃを中心とする円弧部の端縁に第１ギア部２０ｄが形成されている。第１サポート部材２０は前記収納部１１の側壁１１ａに形成された図示しない軸受部に揺動軸２０ｃを挿着することで穴１２に対して出没可能に配置されている。また、第１サポート部材２０は、第１ギア部２０ｄで後述する第２サポート部材２１の第２ギア部と回動可能に噛み合わされている。
【００２１】
第２サポート部材２１は第１サポート部材２０と同様にホルダ本体１０の穴１２と同数設けられている。第２サポート部材２０は容器の側面に当接する円弧状の当接壁２１ａと、この当接壁２１ａに直交する略扇形状の側壁２１ｂとが一体的に形成されており上部は開放されている。当接壁２１ａの先端側には内壁２１ｅが段差を設けて連続して延伸している。この内壁２１ｅは第１サポート部材２０の当接壁２０ａの内側に摺接して第１サポート部材２０内部に出没自在に形成されている。側壁２１ｂには、揺動軸２１ｃが設けられており、側壁２１ｂの上部周縁には、この揺動軸２１ｃを中心とする円弧部の端縁に第２ギア部２１ｄが形成されている。第２サポート部材２１は、前記収納部１１の側壁１１ａに形成された図示しない軸受部に揺動軸２１ｃを挿着することで穴１２に対して出没可能に配置されている。また、第２サポート部材２１は、第２ギア部２１ｄで第１サポート部材２０の第１ギア部２０ｄと回動可能に噛み合わされている。
【００２２】
バネ３０は、例えばトーションバネであり、第１サポート部材２０の揺動軸２０ｃに設けられている。バネ３０は、一端側を収納部１１の側壁１１ａに当接し、他端を第１サポート部材２０の側壁２０ｂに設けた凸部２０ｅに係止して、第１サポート部材２０と第２サポート部材２１とを互いに離間する方向に付勢している。
【００２３】
ここで、ホルダ本体１０の収納部１１に容器Ｃを出し入れする作動を説明する。
【００２４】
収納部１１に容器が収納されていないとき、または、収納部１１に挿入された容器Ｃ１が小径であるときには、図３に示すように、バネ３０の付勢力により、第１サポート部材２０と第２サポート部材２１とは離間している。具体的には、第２サポート部材２１の内壁２１ｅが第１サポート部材２０から露出する位置（以後、露出位置という）にあり、第１サポート部材２０の当接壁２０ａと第２サポート部材２１の当接壁２１ａのいずれかまたは両方が容器Ｃ１の外周面に当接している。この場合には、第１サポート部材２０のギア部２０ｄと第２サポート部材２１のギア部２１ｄとは、各々のギア列の後端部（収納部１１の側壁１１ａから遠い部分）Ｇ１近傍で噛み合っている。
【００２５】
収納部１１に大径の容器Ｃ２を挿入する場合には、まず容器Ｃ２の底面が第１サポート部材２０の当接壁２０ａを下方に押圧する。これにより第１サポート部材２０は揺動軸２０ｃを中心に矢印Ａ方向（図３では反時計回り）に揺動する。第１サポート部材２０のギア部２０ｄは第２サポート部材２１のギア部２１ｄと噛み合っているので、第１サポート部材２０が矢印Ａ方向に回動すると、第２サポート部材２１は反対方向の矢印Ａ’方向（図３では時計回り）に揺動し、図４に示すように第２サポート部材２１の内壁２１ｅは第１サポート部材２０の当接壁２０ａに摺接しながら第１サポート部材２０の内部に収容される。すなわち、第１サポート部材２０の当接壁２０ａと第２サポート部材２１の当接壁２１ａとは穴１２の内部へ収容される方向に回動するわけである。そして、第１サポート部材２０のギア部２０ｄと第２サポート部材２１のギア部２０ｄとの噛合い部Ｇは各々のギア列の後端部Ｇ１から先端部（収納部側壁１１ａに近い部分）Ｇ２へ向かって移動する。
【００２６】
図４に示すように、収納部１１に大径の容器Ｃ２が挿入された場合には、第１サポート部材２０のギア部２０ｄと第２サポート部材２１のギア部２１ｄとは各々のギア列の先端部Ｇ２で噛合い、内壁２１ｅは第１サポート部材２０の内部に収容されている。
【００２７】
この状態で容器Ｃ２を収納部１１から取り出す（抜く）と、第１サポート部材２０はバネ３０の付勢力により、元の露出位置に戻ろうとする。この時、第１ギア部２０ｄは矢印Ｂ方向（図４では時計回り）に回転するので、噛み合っている第２ギア部２１ｄをＢ’方向（図４では反時計回り）に移動させる。これにより、第２サポート部材２１は、揺動軸２１ｃを中心として揺動して第１サポート部材２０とともに露出位置に戻る。
【００２８】
次に、外周面５０に凹部５１が設けられている大径の容器Ｃ３の場合について説明する。図５に示すように、収納部１１に凹部５１を有する容器Ｃ３が収納される場合には、第１サポート部材２０と第２サポート部材２１とが凹部５１内に入り込むことがある。第１サポート部材２０と第２サポート部材２１とが凹部５１に入り込むと、第１サポート部材２０と第２サポート部材２１とは、第１ギア部２０ｄと第２ギア部２１ｄとの噛合い部Ｇが収納部側壁１１ａに最も遠いＧ１に位置している露出位置となる。
【００２９】
この状態で容器Ｃ３を収納部１１から取り出す（抜く）時には、まず図５に示すように、凹部５１が第２サポート部材２１の当接壁２１ａに当接し、当接壁２１ａを上方（矢印Ｆ方向）に押圧する。そして第２サポート部材２１は、揺動軸２１ｃを軸として図５の矢印Ｄ方向（時計回り）に揺動する。このため第２ギア部２１ｄと第１ギア部２０ｄとの噛合い部Ｇは順次噛合いながら収納部側壁１１ａに近いＧ２側へ移動するので、第１サポート部材２０は、揺動軸２０ｃを軸としてバネ３０の付勢力に抗して矢印Ｄ’方向（図５では反時計回り）に揺動する。
【００３０】
続いて容器Ｃ３を収納部１１から完全に抜き去ると、第１サポート部材２０はバネ３０の付勢力により元の露出位置に戻ろうとするので、ギア部で噛み合っている第２サポート部材２１も回動して元の露出位置に戻る。
【００３１】
本実施例の作用を説明する。
【００３２】
外周部５０に凹部５１が設けられた容器Ｃ３をホルダ本体１０から取り出すときに、容器Ｃ３の凹部５１の一部が第２サポート２１の当接壁２１ａを押圧するので、第２サポート部材２１が揺動し、第２ギア部２１ｄと第１ギア部２０ｄとの噛み合い部Ｇを移動させて第１サポート部材２０を揺動させる。このため、容器Ｃ３の外周部５０に凹部５１が設けられている場合であっても、凹部５１が第１サポート部材２０や第２サポート部材２１に引っ掛かることはない。そのため、第１サポート部材２０と第２サポート部材２１は収納部１１に収納される容器の外周形状にフレキシブルに対応できる。
【００３３】
（実施例２）
本実施例は容器サポートユニットに関するものであり、図６に示す斜視図を参照しながらその構成を説明する。
【００３４】
前記の実施例１では、第１サポート部材２０と第２サポート部材２１とは、揺動軸２０ｃ及び２１ｃでホルダ本体１０の側壁１１ａに揺動自在に固定されていたが、本実施例は、実施例１の側壁１１ａに設けた穴１２と同形状の穴１２’を備える枠体４０に第１サポート部材２０と第２サポート部材２１とを組み付けて容器サポートユニット２としたものである。枠体４０の裏面４０ａには、点線で示す揺動軸２０ｃ、２１ｃを揺動自在に支持する軸受（図示せず）が設けられており、バネ３０は、一端側を枠体４０の裏面４０ａに当接させ、他端を第１サポート部材２０の凸部２０ｅに係止するように組み付けられている。また、枠体４０には、凸部４０ｂが一体的に形成されており、側壁１１ａに設けた凹部に嵌合することで容器サポートユニット２をホルダ本体１０の収納部側壁１１ａに設けた穴に配置することが出来る。
【００３５】
このように配置された容器サポートユニット２は、収納部１１に容器を出し入れする際に、実施例１のサポート手段Ｓと同様の作用効果を発揮する。本実施例の容器サポートユニット２は、ホルダ本体へのサポートの組み付け作業を容易にして生産性を向上することが出来る。
【００３６】
なお、本発明は上記の実施例に限定されることなく、本発明の主旨を逸脱しない範囲で変更することが出来る。
【００３７】
例えば、上記の実施例では、第２サポート部材２１に内壁２１ｅを設けた。この内壁２１ｅは、サポート手段Ｓや容器サポートユニット２を組立部品として剛性の高いものとすることと、サポート部材２０、２１が露出位置にあって両部材が離間している場合に、この離間空間に異物などが侵入することを防止するためのものである。従って、特に必要がない場合には内壁２１ｅを設けなくてもよい。
【００３８】
さらに、図７に示すように、第１サポート部材２０の当接壁２０ａの先端部を凸形状（凸部２０ｆ）に形成するとともに、第２サポート部材２１の当接壁２１ａには対応する切り欠き凹部２１ｆを設け、サポート部材２０および２１の退避位置では凸部２０ｆと切り欠き凹部２１ｆとが嵌合するようにしてもよい。サポート部材の当接壁をこのように形成することでサポート部材と内壁との段差を解消することができるので、容器をよりスムーズに出し入れ可能な見栄えのよいサポート部となる。
【００３９】
また、上記の実施例ではバネ３０を第１サポート部材２０にだけ設けるようにしたが、第２サポート部材２１の揺動軸２１ｃ、あるいは両方の揺動軸に設けてもよいことはいうまでもない。
【産業上の利用可能性】
【００４０】
本発明の容器ホルダ装置は車両の車室内に設けられる飲料などの容器を収納する容器ホルダ装置として好適である。また、本発明の容器サポートユニットは、このような容器ホルダ装置に好適に用いることが出来る。
【図面の簡単な説明】
【００４１】
【図１】本発明の容器ホルダ装置を示す斜視図である。
【図２】実施例１のサポート手段を示す斜視図である。
【図３】進出位置にあるサポート手段の部分断面図である。
【図４】退避位置にあるサポート手段の部分断面図である。
【図５】側面に凹部を有する容器を支持しているサポート手段の部分断面図である。
【図６】実施例２の容器サポートユニットを示す斜視図である。
【図７】サポート手段の他の態様を示す斜視図である。
【図８】従来の容器ホルダ装置の一例を示す断面図である。
【図９】従来の容器ホルダ装置に凹部を有する容器が収納された場合を示す断面図である。
【符号の説明】
【００４２】
１：容器ホルダ装置  ２：容器サポートユニット  １０：ホルダ本体  １１：収納部
１１ａ側壁  １２：穴  ２０：第１サポート部材  ２０ｄ：第１ギア部  ２１：第２サポート部材  ２１ｄ第２ギア部  ２０ａ（２１ａ）：当接壁  ２０ｂ（２１ｂ）：側壁  ２０ｃ（２１ｃ）：揺動軸  ２１ｅ：内壁  ３０：バネ  ４０：枠体
Ｃ：容器  Ｇ：噛合い部  Ｓ：サポート手段
【図１】
2008213588.tif 000003
【図２】
2008213588.tif 000004
【図３】
2008213588.tif 000005
【図４】
2008213588.tif 000006
【図５】
2008213588.tif 000007
【図６】
2008213588.tif 000008
【図７】
2008213588.tif 000009
【図８】
2008213588.tif 000010
【図９】
2008213588.tif 000011